(57)【要約】【課題】蓋体を収納箱本体に装着したとき、収納箱本体の側壁上面に当接する蓋体の突起部が外部からの力によって破損しにくい収納箱を提供する。【解決手段】底壁４と、底壁４の周囲を囲む周囲壁５とが設けられ、収納物が周囲壁５の上面から突出した状態で収納される収納箱本体２と、上部壁３１と、上部壁３１の周囲に形成される一方の１組の対向する対向側壁３４，３５と、上部壁３１の周囲に形成される他方の１組の対向する対向側壁３８，３９とが設けられた蓋体３とを備え、蓋体３の内部奥側の角部には、収納箱本体２に蓋体３を装着したとき、周囲壁５の上面に当接して蓋体３の位置決めをする当接片が設けられた収納箱１において、当接片は対向側壁３４，３５の両側から蓋体３の内側に突出した突出部４１を備え、突出部４１は、対向側壁３８，３９の両側に設けられた弾性変形可能な折曲片４７を介して対向側壁３８，３９に接続されることを特徴とする。【選択図】図１
2015227207.tif 000002
【特許請求の範囲】
【請求項１】
底壁と、前記底壁の周囲を囲む周囲壁とが設けられ、収納物が前記周囲壁の上面から突出した状態で収納される収納箱本体と、
上部壁と、前記上部壁の周囲に形成される一方の１組の対向する第一対向側壁と、前記上部壁の周囲に形成される他方の１組の対向する第二対向側壁とが設けられた蓋体と、
を備え、
前記蓋体の内部奥側の角部には、収納箱本体に蓋体を装着したとき、前記周囲壁の上面に当接して前記蓋体の位置決めをする当接片が設けられた収納箱において、
前記当接片は前記第一対向側壁の両側から前記蓋体の内側に突出した突出部を備えており、
前記突出部は、前記第二対向側壁の両側に設けられた弾性変形可能な接続部材を介して前記第二対向側壁に接続されていることを特徴とする収納箱。
【請求項２】
請求項１に記載の収納箱であって、
前記突出部の下部には水平方向に向いた直線部が形成されており、前記直線部が前記周  囲壁の上面に当接することを特徴とする収納箱。
【請求項３】
請求項１または２に記載の収納箱であって、
前記接続部材は、前記第二対向側壁の一部が前記第二対向側壁の内面側に弾性的に折り曲げられて形成されることを特徴とする収納箱。
【請求項４】
請求項１から３の一に記載の収納箱であって、
前記突出部と前記接続部材とを接続する接続部には折曲線が設けられており、前記突出部と前記接続部材とは前記折曲線で折り曲げられた状態で接続されていることを特徴とする収納箱。
【請求項５】
請求項４に記載の収納箱であって、
前記突出部の基端部には前記折曲線に沿って孔部が設けられていることを特徴とする収納箱。
【請求項６】
請求項４または５に記載の収納箱であって、
前記接続部材と前記第二対向側壁とを折り曲げ可能に接続する折曲線の延長線上には、さらに前記第二対向側壁の先端部まで斜め４５°下方に傾いた折り曲げ線が設けられていることを特徴とする収納箱。
【請求項７】
請求項４または５に記載の収納箱であって、
前記接続部材と前記第二対向側壁とを折り曲げ可能に接続する折曲線の延長線上には、さらに前記第二対向側壁の先端部まで斜め４５°下方に傾いた折り曲げ線が設けられていることを特徴とする収納箱。
【発明の詳細な説明】
【技術分野】
【０００１】
本発明は、贈答品などを収納する収納箱に関する。
【背景技術】
【０００２】
従来、たとえば酒瓶などの贈答品を収納箱に収納する場合に、視認しやすく、見栄えするように贈答品を収納するために、収納箱本体の外周を形成する側壁の高さを低くして、贈答品の上部が収納箱本体の開口部から突出した状態で収納することがある。
【０００３】
このような収納箱１０１を図１５に示す。贈答品などの収納物が収納された収納箱本体１０２に蓋体１０３を装着した収納箱１０１を積み重ねたときなどに、蓋体１０３の天板が収納物に当接して、収納物が外部からの力で傷つくことを防止するために、収納箱１０１では、蓋体１０３の内部奥側の四隅に突起部１０４が形成されている。収納箱本体１０２に蓋体１０３を装着したとき、この突起部１０４が収納箱本体１０２の側壁上面１０５に当接し、蓋体１０３は、収納物との間に隙間がある状態で位置決めされる。
【先行技術文献】
【特許文献】
【０００４】
【特許文献１】特開２００４−２５６１７２号公報
【発明の概要】
【発明が解決しようとする課題】
【０００５】
蓋体１０３に形成される突起部１０４は、角部を２等分するように収納箱本体の内側に向いて突出しており、蓋体１０３を装着したとき、突起部１０４が収納物に接触して、蓋体１０３を装着することができなくなる虞があるので、突起部１０４の長さが短く制限されている。突起部１０４は短い長さで蓋体１０３に掛かる力を受けており、蓋体１０３に大きな力が加わると破損することがある。突起部１０４が破損すると、蓋体１０３の天板が収納物に当接して、収納物が傷付けられる虞がある。
【０００６】
本発明は、従来のこのような問題点を解決するためになされたものであって、その目的は、蓋体を収納箱本体に装着したとき、収納箱本体の側壁上面に当接する蓋体の突起部が外部からの力によって破損しにくい収納箱を提供することである。
【課題を解決するための手段及び発明の効果】
【０００７】
上記目的を達成するために、本発明の一の収納箱によれば、底壁と、前記底壁の周囲を囲む周囲壁とが設けられ、収納物が前記周囲壁の上面から突出した状態で収納される収納箱本体と、上部壁と、前記上部壁の周囲に形成される一方の１組の対向する第一対向側壁と、前記上部壁の周囲に形成される他方の１組の対向する第二対向側壁とが設けられた蓋体と、を備え、前記蓋体の内部奥側の角部には、収納箱本体に蓋体を装着したとき、前記周囲壁の上面に当接して前記蓋体の位置決めをする当接片が設けられた収納箱において、前記当接片は前記第一対向側壁の両側から前記蓋体の内側に突出した突出部を備えており、前記突出部は、前記第二対向側壁の両側に設けられた弾性変形可能な接続部材を介して前記第二対向側壁に接続されていることを特徴とする。
【０００８】
上記構成によれば、接続部材が発生する弾性力を調整することによって、突出部を収納箱本体の周囲壁の上面に位置させることができる。突出部が周囲壁の上面に位置していれば、蓋体を収納箱本体に装着するとき、蓋体が収納物に接触する虞がなく、突出部の長さを任意の長さに調整可能である。蓋体を収納箱本体に装着したとき、収納箱本体の側壁上面に当接する突起部の面積を広くして、外部からの力が加わえられた場合であっても破損しにくい当接片とすることができる。
【０００９】
また、前記突出部の下部には水平方向に向いた直線部が形成されており、前記直線部が前記周囲壁の上面に当接することを特徴とする。
【００１０】
上記構成によれば、突出部の下部に形成された水平方向の直線部の長さを調整して、外部からの力が加わえられた場合であっても破損しにくい当接片とすることができる。
【００１１】
また、前記接続部材は、前記第二対向側壁の一部が前記第二対向側壁の内面側に弾性的に折り曲げられて形成されることを特徴とする。
【００１２】
上記構成によれば、第二対向側壁の一部を第二対向側壁の内面側に折り曲げて、簡単に接続部材に弾性力を発生させて、発生した弾性力を突出部に加えることができる。
【００１３】
また、前記突出部と前記接続部材とを接続する接続部には折曲線が設けられており、前記突出部と前記接続部材とは前記折曲線で折り曲げられた状態で接続されていることを特徴とする
【００１４】
上記構成によれば、前記突出部と前記接続部材とを接続する折曲線の長さを調整して、接続部材が発生して突出部に加えられる弾性力を調整して、突出部を収納箱本体の周囲壁の上面に位置させることができる。
【００１５】
また、前記突出部の基端部には前記折曲線に沿って孔部が設けられていることを特徴とする。
【００１６】
上記構成によれば、第二対向側壁の内面側に折り曲げられた接続部材の角部を、この孔部に収容して、上部壁に対して第二対向側壁をスムーズに立ち上げて、蓋体を組み立てることができる。
【００１７】
また、前記接続部材と前記第二対向側壁とを折り曲げ可能に接続する折曲線の延長線上には、さらに前記第二対向側壁の先端部まで斜め４５°下方に傾いた折り曲げ線が設けられていることを特徴とする。
【００１８】
上記構成によれば、前記第二対向側壁を蓋体の内側に折り曲げ、さらに前記第一対向側壁を蓋体の内側に折り曲げて、蓋体を平面状に折り畳んでコンパクトに収納することができる。
【００１９】
また、前記第一対向側壁３４，３５の基端部両側には、斜め４５°下方に傾いた折曲線８２が設けられている。
【００２０】
上記構成によれば、前記第一対向側壁を蓋体の外側に折り曲げ、さらに前記第二対向側壁を蓋体の内側に折り曲げて、蓋体を平面状に折り畳んでコンパクトに収納することができる。
【図面の簡単な説明】
【００２１】
【図１】本発明の第１の実施形態に係る収納箱の部品構成を示す斜視図である。
【図２】蓋体の展開図である。
【図３】蓋体の組み立て手順を示す斜視図である。
【図４】蓋体の組み立て手順を示す斜視図である。
【図５】蓋体の斜視図である。
【図６】収納箱本体に蓋体を装着した状態の断面図である。
【図７】図６のＡ−Ａ断面である。
【図８】蓋体を平面状に折り畳む途中の状態を示す斜視図である。
【図９】蓋体を平面状に折り畳んだ状態を示す斜視図である。
【図１０】本発明の第２の実施形態に係る蓋体の展開図である。
【図１１】蓋体の斜視図である。
【図１２】蓋体を平面状に折り畳む途中の状態を示す斜視図である。
【図１３】蓋体を平面状に折り畳んだ状態を示す斜視図である。
【図１４】本発明の第３の実施形態に係る収納箱の斜視図である。
【図１５】従来の収納箱を示す斜視図である。
【発明を実施するための形態】
【００２２】
以下、本発明の第１の実施例に係る収納箱１を図１〜図７に基づいて説明する。ただし、以下に示す実施例は、本発明の技術思想を具体化するための収納箱を例示するものであって、収納箱を以下のものに限定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２３】
本発明の第１の実施形態に係る収納箱１の部品構成を図１に示し、蓋体３の展開図を図２に示す。収納箱１は、収納箱本体２と蓋体３とを備えており、収納箱本体２は、底壁４と、底壁４の周囲から立ち上がる額縁状の周囲壁５とを備えている。周囲壁５は２組の対向する側壁６，７と側壁８，９とで構成されている。側壁６，７，８，９は、外部壁１２と、内部壁１３と、側壁６，７，８，９の上面に位置し、外部壁１２と内部壁１３とを連結する連結壁１４とで構成されており、連結壁１４の幅に相当する厚みｔを備えている。
【００２４】
蓋体３は、長方形の上部壁３１を備えている。上部壁３１の一方の対向する２辺には折曲線３２，３３を介して対向側壁３４，３５が折り曲げ可能に設けられている。対向側壁３４，３５は第一対向側壁である。上部壁３１の他方の対向する２辺には折曲線３６，３７を介して対向側壁３８，３９が折り曲げ可能に設けられている。対向側壁３８，３９は第二対向側壁である。
【００２５】
対向側壁３４，３５の両側には、折曲線４０を介して、上部壁３１に近い方から順番に、各々当接片とフラップ４２とが設けられている。当接片は前記蓋体３の内側に突出した突出部４１を備えている。
【００２６】
対向側壁３８，３９の基端部に位置する折曲線３６，３７の両端には、対向側壁３８，３９の内側に向かって、折曲線３６，３７に対して４５°傾斜した折曲線４３が設けられている。折曲線４３の先端部には、対向側壁３８，３９の側端４４に繋がる切り込み４５が設けられている。
【００２７】
側端４４の基端部には折曲線４６が設けられており、折曲線４６と折曲線４３と切り込み４５とで囲まれた三角形の折曲片４７が形成される。折曲片４７は接続部材である。折曲片４７は折曲線４３と折曲線４６とで弾性的に折り曲げ可能である。突出部４１は折曲線４６を介して折曲片４７に折り曲げ可能に接続されている。折曲線４６に沿った突出部４１の基端部には孔部４８が形成されている。
【００２８】
ここで、蓋体３の組み立て手順について説明する。まず、上部壁３１に対して対向側壁３４，３５を垂直に立ち上げる。このときの状態を図３に示す。つぎに、突出部４１を折曲線４０で蓋体３の内側に折り込む。突出部４１を折り込むと、折曲片４７が折曲線４３，４６で折り曲げられて、対向側壁３８，３９の内面側に折り曲げられる。そして、対向側壁３４，３５の両側に形成されたフラップ４２を折曲線４０で蓋体３の内側に折り込む。このときの状態を図４に示す。上部壁３１に対して対向側壁３８，３９を垂直に立ち上げて、対向側壁３８，３９の両側をフラップ４２に糊付けする。組み立てられた蓋体３を図５に示す。
【００２９】
なお、対向側壁３８，３９を垂直に立ち上げたとき、対向側壁３８，３９の内面側に折り曲げられた折曲片４７が、折曲線４６で突出部４１に近付くように折り曲げられるが、折曲線４３と折曲線４６とで形成された折曲片４７の幅狭な角部を、折曲線４６に沿って折り曲げることが難しい。本実施形態においては、突出部４１の基端部に、折曲線４６に沿って孔部４８が形成されている。これによって、対向側壁３８，３９の内面側に折り曲げられた、折曲線４３と折曲線４６とで形成された折曲片４７の角部を、この孔部４８に収容して、対向側壁３８，３９をスムーズに立ち上げることができる。
【００３０】
（突出部４１）
折曲片４７は、折曲線４３で対向側壁３８，３９の内側に折り曲げられて弾性変形しており、突出部４１はこの弾性変形した折曲片４７に折曲線４６で連結されている。突出部４１は、折曲片４７の弾性力を受けており、折曲線４０を中心として対向側壁３８，３９から離れる方向に僅かに回動する。
【００３１】
収納箱本体２に蓋体３を装着した状態の断面図を図６に示し、図６のＡ−Ａ断面を図７に示す。折曲片４７が発生する弾性力は、折曲片４７を対向側壁３８，３９に折り曲げ可能に連結する折曲線４３の長さ、あるいは、折曲片４７を突出部４１に折り曲げ可能に連結する折曲線４６の長さによって調整可能である。折曲片４７が発生する弾性力を調整することによって、折曲線４０を中心として、対向側壁３８，３９から所望の回動角度だけ回動した位置に、突出部４１を設置することができる。これによって、蓋体３を収納箱本体２に被せたとき、図６，図７に示すように、収納箱本体２の側壁６，７，８，９の上面である連結壁１４の幅ｔの範囲内に、突出部４１を位置させることができる。
【００３２】
このように、突出部４１を収納箱本体２の内部側に突出させることなく、連結壁１４の範囲内に位置させることができるので、たとえば収納物として大型の箱を収納箱本体２に収納した場合であっても、蓋体３を収納箱本体２に装着するとき、突出部４１が収納物に接触することを防止して、突出部４１が連結壁１４に当接する所定の位置まで蓋体３を被せて装着することができる。
【００３３】
折曲線４０から突出する突出部４１の長さは任意に選定することができる。突出部４１の下部には、連結壁１４に当接する水平方向の直線部が形成されており、この直線部を長くすることによって、たとえば収納箱１を積み重ねたとき、積み重ねた収納箱荷重が蓋体３に掛かって、突出部４１が破損することを防止できる。これによって、突出部４１が破損して蓋体３の上部壁が収納物に当接して、収納物が破損することを防止できる。
【００３４】
蓋体３の対向側壁３８，３９の両側には、折曲線４３が設けられているが、本実施の形態では、折曲線４３の延長線上に、さらに折曲線５０が設けられている。折曲線５０は、折曲線４３と切り込み４５との交点から対向側壁３８，３９の先端部まで、斜め４５°下方に傾いた状態で設けられている。
【００３５】
使用者が、矢印で示すように対向側壁３８，３９のうち折曲線５０で囲まれた中央壁部５１，５２を内側に押すと、中央壁部５１，５２が折曲線３６，３７で蓋体３の内側に折り曲げられる。対向側壁３８，３９のうち折曲線５０の両側に位置する側壁部５３，５４は、折曲線５０で中央壁部５１，５２の外面側に折り曲げられる。側壁部５３，５４に糊付けされたフラップ４２が側壁部５３，５４とともに中央壁部５１，５２の外面側に折り曲げられ、フラップ４２と折曲線４０を介して連結されている対向側壁３４，３５は、蓋体３の内側に折り曲げられる。このとき、折曲線４３を介して中央壁部５１，５２に連結されている折曲片４７は、中央壁部５１，５２とともに蓋体３の内側に折り曲げられる。突出部４１は折曲線４０で折り曲げられて、対向側壁３４，３５の内面側に折り曲げられる。このときの状態を図８に示す。
【００３６】
さらに対向側壁３４，３５を蓋体３の内側に折り曲げると、対向側壁３８，３９の中央壁部５１，５２が上部壁３１の内側に当接する。対向側壁３８，３９の側壁部５３，５４は、中央壁部５１，５２の外面側に当接し、対向側壁３４，３５はフラップ４２とともに、対向側壁３８，３９の側壁部５３，５４に当接する。
【００３７】
折曲片４７は、中央壁部５１，５２とともに蓋体３の内側に当接する。突出部４１は折曲線４０で折り曲げられて、フラップ４２とともに対向側壁３４，３５の内面側に当接する。このように平面状に折り畳んだ蓋体３を図９に示す。蓋体３は、上部壁３１の大きさでコンパクトに平面状に折り畳むことができる。
【００３８】
本発明の第２の実施例に係る蓋体８１を図１０〜図１３に基づいて説明する。第１の実施例に係る収納箱の説明と重複する部分については説明を省略し同一の参照符を用いる。図１０は蓋体８１の展開図を示す。蓋体８１の対向側壁３４，３５の両側には、折曲線４０が設けられているが、本実施の形態では折曲線４０の基端部（折曲線３２，３３の端部）から斜め４５°下方に傾いた折曲線８２が設けられている。
【００３９】
図１１は蓋体８１の斜視図を示す。使用者が、対向側壁３８，３９を内側に押すと、対向側壁３８，３９が折曲線３６，３７で蓋体８１の内側に折り曲げられる。対向側壁３４，３５のうち折曲線８２で囲まれた中央壁部８３，８４は、折曲線３２，３３で外側に折り曲げられる。対向側壁３４，３５のうち折曲線８２の両側に位置する側壁部８５，８６は、外側に折り曲げられた中央壁部８３，８４に近付くように、折曲線８２で折り曲げられる。側壁部３８，３９に糊付けされたフラップ４２は、側壁部３８，３９とともに蓋体８１の内側に折り曲げられる。折曲線４０を介して側壁部８５，８６に連結されている突出部４１は、フラップ４２とともに蓋体８１の内側に折り曲げられる。折曲片４７は、折曲線４７で側壁部３８，３９の内面側に折り曲げられて、側壁部３８，３９と突出部４１とで挟まれた状態で蓋体８１の内側に折り曲げられる。このときの状態を図１２に示す。
【００４０】
さらに対向側壁３８，３９を蓋体８１の内側に折り曲げると、側壁部３８，３９に糊付けされたフラップ４２は、側壁部３８，３９とともに蓋体８１の内側に折り曲げられ、上部壁３１に当接する。
【００４１】
折曲線４０を介して側壁部８５，８６に連結されている突出部４１は、フラップ４２とともに上部壁３１に当接する。折曲片４７は、折曲線４７で側壁部３８，３９の内面側に折り曲げられて、側壁部３８，３９と突出部４１とで挟まれた状態で蓋体８１の内側に折り曲げられる。このように平面状に折り畳んだ蓋体８１を図１３に示す。蓋体８１は、薄厚でコンパクトに平面状に折り畳むことができる。
【００４２】
第１の実施例および第２の実施例では、対向側壁に折曲線が設けられ、平面状に折り畳むことができる蓋体について説明したが、もちろんこれに限定されるものではなく、対向側壁に折曲線を設けていない蓋体とすることもできる。このような蓋体９１を図１４に示す。蓋体９１では折り畳み用の折曲線を設けないのでコスト削減を図ることができる。
【産業上の利用可能性】
【００４３】
本発明の収納箱は、酒瓶などの贈答品を収納する収納箱として好適に使用される。
【符号の説明】
【００４４】
１，１０１…収納箱
２，１０２…収納箱本体
３，８１，９１…蓋体
４…底壁
５…周囲壁
６，７，８，９…側壁
１２…外部壁
１３…内部壁
１４…連結壁
３１…上部壁
３２，３３，３６，３７，４０，４３，４６，５０，８２…折曲線
３４，３５，３８，３９…対向側壁
４１…突出部
４２…フラップ
４４…側端
４５…切り込み
４７…折曲片
４８…孔部
５１，５２，８３，８４…中央壁部
５３，５４，８５，８６…側壁部
１０３…蓋体
１０４…突起部
１０５…側壁上面
【図１】
2015227207.tif 000003
【図２】
2015227207.tif 000004
【図３】
2015227207.tif 000005
【図４】
2015227207.tif 000006
【図５】
2015227207.tif 000007
【図６】
2015227207.tif 000008
【図７】
2015227207.tif 000009
【図８】
2015227207.tif 000010
【図９】
2015227207.tif 000011
【図１０】
2015227207.tif 000012
【図１１】
2015227207.tif 000013
【図１２】
2015227207.tif 000014
【図１３】
2015227207.tif 000015
【図１４】
2015227207.tif 000016
【図１５】
2015227207.tif 000017